(57)【要約】【課題】本発明はピアス保存装置を開示した。【解決手段】収納ケースを含み、前記収納ケースの中には選び取り装置が設けられ、前記選び取り装置の左側には出し入れ装置が設けられ、前記選び取り装置と前記出し入れ装置との前側には制御装置が設けられ、前記制御装置は前記選び取り装置が選択することを制御し、そして前記出し入れ装置が選択後のピアスを取り出すことを制御し、入れる時には直接に前記出し入れ装置により元の位置に置き、前記選び取り装置は前記収納ケースの中に設けられた選び取りチャンバを含み、前記選び取りチャンバの中には回転柱が回転できるように設けられ、本装置でピアスを入れる時、異なった種類のピアスに対して分類し置くことができ、また自動的に選択し入れ、貴重なピアスを隠れたところに置き、同時に本装置が密封式であり、防盗効果を大きく向上させ、より安全で信頼できる。【選択図】図１
2020171662.tif 000002
【特許請求の範囲】
【請求項１】
正面視で、収納ケースを含み、前記収納ケースの中には選び取り装置が設けられ、前記選び取り装置の左側には出し入れ装置が設けられ、前記選び取り装置と前記出し入れ装置との前側には制御装置が設けられ、前記制御装置は前記選び取り装置が選択することを制御し、そして前記出し入れ装置が選択後のピアスを取り出すことを制御し、入れる時には直接に前記出し入れ装置により元の位置に置き、前記選び取り装置は前記収納ケースの中に設けられた選び取りチャンバを含み、前記選び取りチャンバの中には回転柱が回転できるように設けられ、前記回転柱の外円面の前後両端には四組の固定ロッドが環状に排列されて固定的に設けられ、前記固定ロッドのうち前記回転柱から離れている一端には吊りロッドが回転できるように設けられ、前記吊りロッドの下端には支え板が固定的に設けられ、前後に相対する前記支え板の中には上方に開口し、且つ開口が相対する支えチャンバが設けられ、前記支えチャンバの中には普通収納ケースが置かれており、前記普通収納ケースの中には上方に開口した普通収納チャンバが設けられ、前記選び取りチャンバの下側には貴重収納チャンバが設けられ、前記貴重収納チャンバの中には貴重収納ケースが置かれており、前記貴重収納ケースの右側には押し引きブロックが設けられ、前記押し引きブロックの左端面には連結ロッドが前後に対称的に固定的に設けられ、前記連結ロッドの左端には引き動かしブロックが固定的に設けられ、前記押し引きブロックの下端面の中にはラックが固定的に設けられ、前記貴重収納チャンバの下側には歯車チャンバが連通するように設けられ、前記歯車チャンバの中には前記ラックと噛合するラック歯車が回転できるように設けられ、前記ラック歯車の軸心のところには回転軸が固定的に連結されることを特徴とするピアス保存装置。
【請求項２】
前記出し入れ装置は前記選び取りチャンバの左側に連通するように設けられた昇降チャンバを含み、前記昇降チャンバの中には昇降ねじロッドが回転できるように設けられ、前記昇降チャンバの中には前記昇降ねじロッドにねじ山によって連結された昇降板がスライドできるように設けられ、前記昇降チャンバと前記貴重収納チャンバとの間には隠れチャンバが連通するように設けられ、前記昇降チャンバの下側にはプーリーチャンバが設けられ、前記昇降ねじロッドの下端が前記プーリーチャンバの中に伸びており、且つ前記昇降ねじロッドの下端には従動プーリーが固定的に連結され、前記従動プーリーの右側には駆動プーリーが回転できるように設けられ、前記従動プーリーと前記駆動プーリーとの間には伝動ベルトが巻き付くように設けられ、前記選び取りチャンバの上壁において前記隠れチャンバと正対するところには上方に開口した出し入れ口が設けられ、前記出し入れ口の左右両壁には密封板チャンバが連通するように設けられ、前記密封板チャンバの中には密封板がスライドできるように設けられ、前記密封板の右端と前記密封板チャンバの右壁との間には圧縮バネが固定的に連結されることを特徴とする請求項１に記載のピアス保存装置。
【請求項３】
前記制御装置は前記選び取りチャンバの前側に設けられた切り替えチャンバを含み、前記切り替えチャンバの中には切り替えブロックがスライドできるように設けられ、前記切り替えブロックの中には制御モーターが固定的に設けられ、前記制御モーターの上端には駆動傘歯車が動力が伝達できるように連結され、前記駆動傘歯車の後端には前記駆動傘歯車と噛合できる従動傘歯車が設けられ、前記従動傘歯車の軸心のところには連動軸が固定的に設けられ、前記連動軸の後端が前記回転軸の軸心のところに固定的に連結され、前記制御モーターの下端には駆動平歯車が伝動できるように連結され、前記切り替えチャンバの前壁の下端には伝動チャンバが連通するように設けられ、前記伝動チャンバの中には前記駆動平歯車と噛合できる従動平歯車が回転できるように設けられ、前記従動平歯車の下端には上傘歯車が固定的に連結され、前記上傘歯車の前端には前記上傘歯車と噛合する下傘歯車が回転できるように設けられ、前記伝動チャンバの前側にはプーリー伝動チャンバが設けられ、前記下傘歯車の軸心には伝動軸が固定的に連結され、前記伝動軸の前端が前記プーリー伝動チャンバの中に伸びており、前記伝動軸の前端には駆動伝動プーリーが固定的に設けられ、前記駆動伝動プーリーの下側には従動伝動プーリーが回転できるように設けられ、前記回転軸が前記従動伝動プーリーに固定的に連結され、前記駆動伝動プーリーと前記従動伝動プーリーとの間には動力ベルトが伝動できるように設けられ、前記駆動平歯車の下側には前記駆動平歯車と噛合できる内歯車が回転できるように設けられ、前記内歯車の下端にはリールが固定的に連結され、前記リールには引き糸が周設され、前記切り替えチャンバの前側には前記密封板チャンバの右側内壁に連通している糸抜き穴が連通するように設けられ、前記引き糸が前記糸抜き穴を貫通し、且つ前記密封板の右端に固定的に連結され、前記リールの下端には同期軸が固定的に連結され、前記同期軸の下端が前記駆動プーリーに固定的に連結されることを特徴とする請求項１に記載のピアス保存装置。
【請求項４】
前記切り替えチャンバの前壁には制御チャンバが連通するように設けられ、前記制御チャンバの上壁の中には切り替えモーターが固定的に設けられ、前記切り替えモーターの下端には制御ねじロッドが動力が伝達できるように設けられ、前記切り替えブロックの前端が前記制御ねじロッドにねじ山によって連結され、前記制御チャンバの上壁には押しロッドチャンバが連通するように設けられ、前記押しロッドチャンバの中には下端が前記切り替えブロックと当接する押しロッドがスライドできるように設けられ、前記押しロッドの上端が前記押しロッドチャンバの上壁との間には押圧バネが固定的に連結され、前記押しロッドチャンバと前記切り替えチャンバとの間には引っ掛かりブロックチャンバが連通するように設けられ、前記押しロッドの後側端面上端には前記引っ掛かりブロックチャンバを貫通しており、且つ前記切り替えチャンバの中まで伸びている引っ掛かりブロックが固定的に設けられることを特徴とする請求項３に記載のピアス保存装置。。
【発明の詳細な説明】
【技術分野】
【０００１】
本発明は収納ケース技術分野を取り上げて、具体的にはピアス保存装置である。
【背景技術】
【０００２】
ピアスは多くの女性から好かれるが、ピアスの種類が多いため、分類し整理する必要がり、更に多くのピアスの値段が非常に高いので、一定程度の保護が必要であり、現有のアクセサリーケースはピアスを収納する機能を持ち、異なった種類のピアスに対しても異なった方式で収納するが、現有のアクセサリーケースは収納機能と一定程度の整理機能とを持つだけであり、良い保護機能が付いていなく、従って、ピアス保存装置が必要とされ、本装置でピアスを収納する時、異なった種類に対して分類し置き、また自動的に選択し収納し、貴重なピアスを隠れたところに置き、同時に本装置が密封式であり、防盗効果を大きく向上させ、より安全で信頼できる。
【先行技術文献】
【特許文献】
【０００３】
【特許文献１】中国特許出願公開第１０４３６６９３８号明細書
【発明の概要】
【発明が解決しようとする課題】
【０００４】
本発明の目的はピアス保存装置を提供し、それは上記の現在の技術中の問題を解決できる。
【課題を解決するための手段】
【０００５】
本発明のピアス保存装置は、収納ケースを含み、前記収納ケースの中には選び取り装置が設けられ、前記選び取り装置の左側には出し入れ装置が設けられ、前記選び取り装置と前記出し入れ装置との前側には制御装置が設けられ、前記制御装置は前記選び取り装置が選択することを制御し、そして前記出し入れ装置が選択後のピアスを取り出すことを制御し、入れる時には直接に前記出し入れ装置により元の位置に置き、前記選び取り装置は前記収納ケースの中に設けられた選び取りチャンバを含み、前記選び取りチャンバの中には回転柱が回転できるように設けられ、前記回転柱の外円面の前後両端には四組の固定ロッドが環状に排列されて固定的に設けられ、前記固定ロッドのうち前記回転柱から離れている一端には吊りロッドが回転できるように設けられ、前記吊りロッドの下端には支え板が固定的に設けられ、前後に相対する前記支え板の中には上方に開口し、且つ開口が相対する支えチャンバが設けられ、前記支えチャンバの中には普通収納ケースが置かれており、前記普通収納ケースの中には上方に開口した普通収納チャンバが設けられ、前記選び取りチャンバの下側には貴重収納チャンバが設けられ、前記貴重収納チャンバの中には貴重収納ケースが置かれており、前記貴重収納ケースの右側には押し引きブロックが設けられ、前記押し引きブロックの左端面には連結ロッドが前後に対称的に固定的に設けられ、前記連結ロッドの左端には引き動かしブロックが固定的に設けられ、前記押し引きブロックの下端面の中にはラックが固定的に設けられ、前記貴重収納チャンバの下側には歯車チャンバが連通するように設けられ、前記歯車チャンバの中には前記ラックと噛合するラック歯車が回転できるように設けられ、前記ラック歯車の軸心のところには回転軸が固定的に連結される。
【０００６】
更の技術プラン、前記出し入れ装置は前記選び取りチャンバの左側に連通するように設けられた昇降チャンバを含み、前記昇降チャンバの中には昇降ねじロッドが回転できるように設けられ、前記昇降チャンバの中には前記昇降ねじロッドにねじ山によって連結された昇降板がスライドできるように設けられ、前記昇降チャンバと前記貴重収納チャンバとの間には隠れチャンバが連通するように設けられ、前記昇降チャンバの下側にはプーリーチャンバが設けられ、前記昇降ねじロッドの下端が前記プーリーチャンバの中に伸びており、且つ前記昇降ねじロッドの下端には従動プーリーが固定的に連結され、前記従動プーリーの右側には駆動プーリーが回転できるように設けられ、前記従動プーリーと前記駆動プーリーとの間には伝動ベルトが巻き付くように設けられ、前記選び取りチャンバの上壁において前記隠れチャンバと正対するところには上方に開口した出し入れ口が設けられ、前記出し入れ口の左右両壁には密封板チャンバが連通するように設けられ、前記密封板チャンバの中には密封板がスライドできるように設けられ、前記密封板の右端と前記密封板チャンバの右壁との間には圧縮バネが固定的に連結される。
【０００７】
更の技術プラン、前記制御装置は前記選び取りチャンバの前側に設けられた切り替えチャンバを含み、前記切り替えチャンバの中には切り替えブロックがスライドできるように設けられ、前記切り替えブロックの中には制御モーターが固定的に設けられ、前記制御モーターの上端には駆動傘歯車が動力が伝達できるように連結され、前記駆動傘歯車の後端には前記駆動傘歯車と噛合できる従動傘歯車が設けられ、前記従動傘歯車の軸心のところには連動軸が固定的に設けられ、前記連動軸の後端が前記回転軸の軸心のところに固定的に連結され、前記制御モーターの下端には駆動平歯車が伝動できるように連結され、前記切り替えチャンバの前壁の下端には伝動チャンバが連通するように設けられ、前記伝動チャンバの中には前記駆動平歯車と噛合できる従動平歯車が回転できるように設けられ、前記従動平歯車の下端には上傘歯車が固定的に連結され、前記上傘歯車の前端には前記上傘歯車と噛合する下傘歯車が回転できるように設けられ、前記伝動チャンバの前側にはプーリー伝動チャンバが設けられ、前記下傘歯車の軸心には伝動軸が固定的に連結され、前記伝動軸の前端が前記プーリー伝動チャンバの中に伸びており、前記伝動軸の前端には駆動伝動プーリーが固定的に設けられ、前記駆動伝動プーリーの下側には従動伝動プーリーが回転できるように設けられ、前記回転軸が前記従動伝動プーリーに固定的に連結され、前記駆動伝動プーリーと前記従動伝動プーリーとの間には動力ベルトが伝動できるように設けられ、前記駆動平歯車の下側には前記駆動平歯車と噛合できる内歯車が回転できるように設けられ、前記内歯車の下端にはリールが固定的に連結され、前記リールには引き糸が周設され、前記切り替えチャンバの前側には前記密封板チャンバの右側内壁に連通している糸抜き穴が連通するように設けられ、前記引き糸が前記糸抜き穴を貫通し、且つ前記密封板の右端に固定的に連結され、前記リールの下端には同期軸が固定的に連結され、前記同期軸の下端が前記駆動プーリーに固定的に連結される。
【０００８】
更の技術プラン、前記切り替えチャンバの前壁には制御チャンバが連通するように設けられ、前記制御チャンバの上壁の中には切り替えモーターが固定的に設けられ、前記切り替えモーターの下端には制御ねじロッドが動力が伝達できるように設けられ、前記切り替えブロックの前端が前記制御ねじロッドにねじ山によって連結され、前記制御チャンバの上壁には押しロッドチャンバが連通するように設けられ、前記押しロッドチャンバの中には下端が前記切り替えブロックと当接する押しロッドがスライドできるように設けられ、前記押しロッドの上端が前記押しロッドチャンバの上壁との間には押圧バネが固定的に連結され、前記押しロッドチャンバと前記切り替えチャンバとの間には引っ掛かりブロックチャンバが連通するように設けられ、前記押しロッドの後側端面上端には前記引っ掛かりブロックチャンバを貫通しており、且つ前記切り替えチャンバの中まで伸びている引っ掛かりブロックが固定的に設けられる。
【発明の効果】
【０００９】
本装置でピアスを入れる時、異なった種類のピアスに対して分類し置くことができ、また自動的に選択し入れ、貴重なピアスを隠れたところに置き、同時に本装置が密封式であり、防盗効果を大きく向上させ、より安全で信頼できる。
【図面の簡単な説明】
【００１０】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は本発明のピアス保存装置の内部全体構成略図
【図２】図２は図１のＡ―Ａの構成略図
【図３】図３は図１のＢ―Ｂの構成略図
【図４】図４は図１のＣ―Ｃの構成略図
【発明を実施するための形態】
【００１２】
図１〜４を参照し、本発明のピアス保存装置は、収納ケース１１を含み、前記収納ケース１１の中には選び取り装置１０１が設けられ、前記選び取り装置１０１の左側には出し入れ装置１０２が設けられ、前記選び取り装置１０１と前記出し入れ装置１０２との前側には制御装置１０３が設けられ、前記制御装置１０３は前記選び取り装置１０１が選択することを制御し、そして前記出し入れ装置１０２が選択後のピアスを取り出すことを制御し、入れる時には直接に前記出し入れ装置１０２により元の位置に置き、前記選び取り装置１０１は前記収納ケース１１の中に設けられた選び取りチャンバ１２を含み、前記選び取りチャンバ１２の中には回転柱１３が回転できるように設けられ、前記回転柱１３の外円面の前後両端には四組の固定ロッド１４が環状に排列されて固定的に設けられ、前記固定ロッド１４のうち前記回転柱１３から離れている一端には吊りロッド１５が回転できるように設けられ、前記吊りロッド１５の下端には支え板１６が固定的に設けられ、前後に相対する前記支え板１６の中には上方に開口し、且つ開口が相対する支えチャンバ１７が設けられ、前記支えチャンバ１７の中には普通収納ケース１８が置かれており、前記普通収納ケース１８の中には上方に開口した普通収納チャンバ１９が設けられ、前記選び取りチャンバ１２の下側には貴重収納チャンバ２０が設けられ、前記貴重収納チャンバ２０の中には貴重収納ケース２４が置かれており、前記貴重収納ケース２４の右側には押し引きブロック２１が設けられ、前記押し引きブロック２１の左端面には連結ロッド２２が前後に対称的に固定的に設けられ、前記連結ロッド２２の左端には引き動かしブロック２３が固定的に設けられ、前記押し引きブロック２１の下端面の中にはラック２５が固定的に設けられ、前記貴重収納チャンバ２０の下側には歯車チャンバ２６が連通するように設けられ、前記歯車チャンバ２６の中には前記ラック２５と噛合するラック歯車２７が回転できるように設けられ、前記ラック歯車２７の軸心のところには回転軸２８が固定的に連結される。
【００１３】
有益的には、前記出し入れ装置１０２は前記選び取りチャンバ１２の左側に連通するように設けられた昇降チャンバ３０を含み、前記昇降チャンバ３０の中には昇降ねじロッド３１が回転できるように設けられ、前記昇降チャンバ３０の中には前記昇降ねじロッド３１にねじ山によって連結された昇降板３３がスライドできるように設けられ、前記昇降チャンバ３０と前記貴重収納チャンバ２０との間には隠れチャンバ３２が連通するように設けられ、前記昇降チャンバ３０の下側にはプーリーチャンバ３４が設けられ、前記昇降ねじロッド３１の下端が前記プーリーチャンバ３４の中に伸びており、且つ前記昇降ねじロッド３１の下端には従動プーリー３５が固定的に連結され、前記従動プーリー３５の右側には駆動プーリー３６が回転できるように設けられ、前記従動プーリー３５と前記駆動プーリー３６との間には伝動ベルト３７が巻き付くように設けられ、前記選び取りチャンバ１２の上壁において前記隠れチャンバ３２と正対するところには上方に開口した出し入れ口３８が設けられ、前記出し入れ口３８の左右両壁には密封板チャンバ３９が連通するように設けられ、前記密封板チャンバ３９の中には密封板４０がスライドできるように設けられ、前記密封板４０の右端と前記密封板チャンバ３９の右壁との間には圧縮バネ４１が固定的に連結される。
【００１４】
有益的には、前記制御装置１０３は前記選び取りチャンバ１２の前側に設けられた切り替えチャンバ４２を含み、前記切り替えチャンバ４２の中には切り替えブロック４３がスライドできるように設けられ、前記切り替えブロック４３の中には制御モーター４４が固定的に設けられ、前記制御モーター４４の上端には駆動傘歯車４５が動力が伝達できるように連結され、前記駆動傘歯車４５の後端には前記駆動傘歯車４５と噛合できる従動傘歯車４６が設けられ、前記従動傘歯車４６の軸心のところには連動軸４７が固定的に設けられ、前記連動軸４７の後端が前記回転軸１３の軸心のところに固定的に連結され、前記制御モーター４４の下端には駆動平歯車４８が伝動できるように連結され、前記切り替えチャンバ４２の前壁の下端には伝動チャンバ４９が連通するように設けられ、前記伝動チャンバ４９の中には前記駆動平歯車４８と噛合できる従動平歯車５０が回転できるように設けられ、前記従動平歯車５０の下端には上傘歯車５１が固定的に連結され、前記上傘歯車５１の前端には前記上傘歯車５１と噛合する下傘歯車５２が回転できるように設けられ、前記伝動チャンバ４９の前側にはプーリー伝動チャンバ５３が設けられ、前記下傘歯車５２の軸心には伝動軸５４が固定的に連結され、前記伝動軸５４の前端が前記プーリー伝動チャンバ５３の中に伸びており、前記伝動軸５４の前端には駆動伝動プーリー５５が固定的に設けられ、前記駆動伝動プーリー５５の下側には従動伝動プーリー５６が回転できるように設けられ、前記回転軸２８が前記従動伝動プーリー５６に固定的に連結され、前記駆動伝動プーリー５５と前記従動伝動プーリー５６との間には動力ベルト５７が伝動できるように設けられ、前記駆動平歯車４８の下側には前記駆動平歯車４８と噛合できる内歯車５８が回転できるように設けられ、前記内歯車５８の下端にはリール５９が固定的に連結され、前記リール５９には引き糸６０が周設され、前記切り替えチャンバ４２の前側には前記密封板チャンバ３９の右側内壁に連通している糸抜き穴６１が連通するように設けられ、前記引き糸６０が前記糸抜き穴６１を貫通し、且つ前記密封板４０の右端に固定的に連結され、前記リール５９の下端には同期軸６３が固定的に連結され、前記同期軸６３の下端が前記駆動プーリー３６に固定的に連結される。
【００１５】
有益的には、前記切り替えチャンバ４２の前壁には制御チャンバ６４が連通するように設けられ、前記制御チャンバ６４の上壁の中には切り替えモーター６５が固定的に設けられ、前記切り替えモーター６５の下端には制御ねじロッド６６が動力が伝達できるように設けられ、前記切り替えブロック４３の前端が前記制御ねじロッド６６にねじ山によって連結され、前記制御チャンバ６４の上壁には押しロッドチャンバ６７が連通するように設けられ、前記押しロッドチャンバ６７の中には下端が前記切り替えブロック４３と当接する押しロッド６８がスライドできるように設けられ、前記押しロッド６８の上端が前記押しロッドチャンバ６７の上壁との間には押圧バネ６９が固定的に連結され、前記押しロッドチャンバ６７と前記切り替えチャンバ４２との間には引っ掛かりブロックチャンバ７０が連通するように設けられ、前記押しロッド６８の後側端面上端には前記引っ掛かりブロックチャンバ７０を貫通しており、且つ前記切り替えチャンバ４２の中まで伸びている引っ掛かりブロック７１が固定的に設けられる。
【００１６】
初期状態では、密封板４０が出し入れ口３８を密封し、昇降板３３が隠れチャンバ３２の中に上限界位置に位置しており、これにより隠れチャンバ３２を一定的に密封し、その時押し引きブロック２１と貴重収納ケース２４とが完全に貴重収納チャンバ２０の中に収納される。
【００１７】
普通のピアスを入れる時、制御モーター４４を始動し、これにより駆動傘歯車４５を回転連動させ、これによりねじ山連結により従動傘歯車４６を回転連動させ、連動軸４７により回転柱１３を回転連動させ、これにより固定ロッド１４により吊りロッド１５と、支え板１６と、普通収納ケース１８を回転連動させ、これにより普通収納ケース１８を出し入れ口３８の下側まで回転させ、その時切り替えモーター６５が始動し、これにより制御ねじロッド６６を回転連動させ、これによりねじ山連結により切り替えブロック４３を下限界位置まで降下連動させ、その時押しロッド６８と引っ掛かりブロック７１が押圧バネ６９の弾力作用により一定の距離に降下し、その時引っ掛かりブロック７１が従動傘歯車４６の上端を固定し、従動傘歯車４６が自動的に回転することを防止し、その時駆動傘歯車４５と従動傘歯車４６とが噛合状態から離脱し、駆動平歯車４８と内歯車５８とが噛合し、その時制御モーター４４が始動し、駆動平歯車４８を回転連動させ、歯車噛合により内歯車５８を回転連動させ、これによりリール５９を回転連動させて引き糸６０をきつく引き、これにより密封板４０を引き動かして右に移動させ、同時に、リール５９が同期軸６３により駆動プーリー３６を回転連動させ、伝動ベルト３７により従動プーリー３５を回転連動させ、昇降ねじロッド３１を回転連動させ、ねじ山連結により昇降板３３を上昇連動させ、昇降板３３が普通収納ケース１８の下端と当接する時に普通収納ケース１８を引いて上昇連動させ、出し入れ口３８が完全に開く時、普通収納ケース１８が出し入れ口３８の中まで上昇し、出し入れすることができ、
貴重なピアスを出し入れする時、切り替えモーター６５を始動し、切り替えチャンバ４２を下限界位置まで移動連動させ、制御モーター４４を始動し、昇降板３３を下限界位置まで下へ移動連動させ、そして切り替えブロック４３を中間位置まで切り替え、その時駆動平歯車４８と従動平歯車５０とが噛合し、その時制御モーター４４が始動し、駆動平歯車４８を回転連動させ、歯車噛合により従動平歯車５０を回転連動させ、且つ上傘歯車５１を回転連動させ、歯車噛合により下傘歯車５２を回転連動させ、伝動軸５４により駆動伝動プーリー５５を回転連動させ、動力ベルト５７により従動伝動プーリー５６を回転連動させ、回転軸２８によりラック歯車２７を回転連動させ、歯車ラック噛合によりラック２５を左へ移動連動させ、これにより押し引きブロック２１により貴重収納ケース２４を昇降板３３の上方に押し、そして昇降板３３を上昇連動させ、貴重収納ケース２４を出し入れ口３８の中に送り、出し入れする。
【００１８】
有益効果は：本装置でピアスを入れる時、異なった種類のピアスに対して分類し置くことができ、また自動的に選択し入れ、貴重なピアスを隠れたところに置き、同時に本装置が密封式であり、防盗効果を大きく向上させ、より安全で信頼できる。
【００１９】
以上に述べたのはただ本発明の具体的な実施方式で、本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020171662.tif 000003
【図２】
2020171662.tif 000004
【図３】
2020171662.tif 000005
【図４】
2020171662.tif 000006
【手続補正書】
【提出日】令和2年4月28日(2020.4.28)
【手続補正１】
【補正対象書類名】特許請求の範囲
【補正対象項目名】全文
【補正方法】変更
【補正の内容】
【特許請求の範囲】
【請求項１】
正面視で、収納ケースを含み、前記収納ケースの中には選び取り装置が設けられ、前記選び取り装置の左側には出し入れ装置が設けられ、前記選び取り装置と前記出し入れ装置との前側には制御装置が設けられ、前記制御装置は前記選び取り装置が選択することを制御し、そして前記出し入れ装置が選択後のピアスを取り出すことを制御し、入れる時には直接に前記出し入れ装置により元の位置に置き、前記選び取り装置は前記収納ケースの中に設けられた選び取りチャンバを含み、前記選び取りチャンバの中には回転柱が回転できるように設けられ、前記回転柱の外円面の前後両端には四組の固定ロッドが環状に排列されて固定的に設けられ、前記固定ロッドのうち前記回転柱から離れている一端には吊りロッドが回転できるように設けられ、前記吊りロッドの下端には支え板が固定的に設けられ、前後両側の前記支え板の中にはそれぞれ、上方と後方に開口した支えチャンバと上方と前方に開口した支えチャンバとが設けられ、前記支えチャンバの中には普通収納ケースが置かれており、前記普通収納ケースの中には上方に開口した普通収納チャンバが設けられ、前記選び取りチャンバの下側には貴重収納チャンバが設けられ、前記貴重収納チャンバの中には貴重収納ケースが置かれており、前記貴重収納ケースの右側には押し引きブロックが設けられ、前記押し引きブロックの左端面の前後両端には貴重収納ケースの前後両側に対称に設置された連結ロッドが固定的に設置され、前記連結ロッドの左端には引き動かしブロックが固定的に設けられ、前記押し引きブロックの下端面の中にはラックが固定的に設けられ、前記貴重収納チャンバの下側には歯車チャンバが連通するように設けられ、前記歯車チャンバの中には前記ラックと噛合するラック歯車が回転できるように設けられ、前記ラック歯車の軸心のところには回転軸が固定的に連結されることを特徴とするピアス保存装置。
【請求項２】
前記出し入れ装置は前記選び取りチャンバの左側に連通するように設けられた昇降チャンバを含み、前記昇降チャンバの中には昇降ねじロッドが回転できるように設けられ、前記昇降チャンバの中には前記昇降ねじロッドにねじ山によって連結された昇降板がスライドできるように設けられ、前記昇降チャンバと前記貴重収納チャンバとの間には隠れチャンバが連通するように設けられ、前記昇降チャンバの下側にはプーリーチャンバが設けられ、前記昇降ねじロッドの下端が前記プーリーチャンバの中に伸びており、且つ前記昇降ねじロッドの下端には従動プーリーが固定的に連結され、前記従動プーリーの右側には駆動プーリーが回転できるように設けられ、前記従動プーリーと前記駆動プーリーとの間には伝動ベルトが巻き付くように設けられ、前記選び取りチャンバの上壁には前記隠れチャンバの上方に位置しかつ上方に開口した出し入れ口が設置され、前記出し入れ口の左右両壁には密封板チャンバが連通するように設けられ、前記密封板チャンバの中には密封板がスライドできるように設けられ、前記密封板の右端と前記密封板チャンバの右壁との間には圧縮バネが固定的に連結されることを特徴とする請求項１に記載のピアス保存装置。
【請求項３】
前記制御装置は前記選び取りチャンバの前側に設けられた切り替えチャンバを含み、前記切り替えチャンバの中には切り替えブロックがスライドできるように設けられ、前記切り替えブロックの中には制御モーターが固定的に設けられ、前記制御モーターの上端には駆動傘歯車が動力が伝達できるように連結され、前記駆動傘歯車の後端には前記駆動傘歯車と噛合できる従動傘歯車が設けられ、前記従動傘歯車の軸心のところには連動軸が固定的に設けられ、前記連動軸の後端が前記回転軸の軸心のところに固定的に連結され、前記制御モーターの下端には駆動平歯車が伝動できるように連結され、前記切り替えチャンバの前壁の下端には伝動チャンバが連通するように設けられ、前記伝動チャンバの中には前記駆動平歯車と噛合できる従動平歯車が回転できるように設けられ、前記従動平歯車の下端には上傘歯車が固定的に連結され、前記上傘歯車の前端には前記上傘歯車と噛合する下傘歯車が回転できるように設けられ、前記伝動チャンバの前側にはプーリー伝動チャンバが設けられ、前記下傘歯車の軸心には伝動軸が固定的に連結され、前記伝動軸の前端が前記プーリー伝動チャンバの中に伸びており、前記伝動軸の前端には駆動伝動プーリーが固定的に設けられ、前記駆動伝動プーリーの下側には従動伝動プーリーが回転できるように設けられ、前記回転軸が前記従動伝動プーリーに固定的に連結され、前記駆動伝動プーリーと前記従動伝動プーリーとの間には動力ベルトが伝動できるように設けられ、前記駆動平歯車の下側には前記駆動平歯車と噛合できる内歯車が回転できるように設けられ、前記内歯車の下端にはリールが固定的に連結され、前記リールには引き糸が周設され、前記切り替えチャンバの前側には前記密封板チャンバの右側内壁に連通している糸抜き穴が連通するように設けられ、前記引き糸が前記糸抜き穴を貫通し、且つ前記密封板の右端に固定的に連結され、前記リールの下端には同期軸が固定的に連結され、前記同期軸の下端が前記駆動プーリーに固定的に連結されることを特徴とする請求項２に記載のピアス保存装置。
【請求項４】
前記切り替えチャンバの前壁には制御チャンバが連通するように設けられ、前記制御チャンバの上壁の中には切り替えモーターが固定的に設けられ、前記切り替えモーターの下端には制御ねじロッドが動力が伝達できるように設けられ、前記切り替えブロックの前端が前記制御ねじロッドにねじ山によって連結され、前記制御チャンバの上壁には押しロッドチャンバが連通するように設けられ、前記押しロッドチャンバの中には下端が前記切り替えブロックと当接する押しロッドがスライドできるように設けられ、前記押しロッドの上端が前記押しロッドチャンバの上壁との間には押圧バネが固定的に連結され、前記押しロッドチャンバと前記切り替えチャンバとの間には引っ掛かりブロックチャンバが連通するように設けられ、前記押しロッドの後側端面上端には前記引っ掛かりブロックチャンバを貫通しており、且つ前記切り替えチャンバの中まで伸びている引っ掛かりブロックが固定的に設けられることを特徴とする請求項３に記載のピアス保存装置。
【手続補正２】
【補正対象書類名】明細書
【補正対象項目名】全文
【補正方法】変更
【補正の内容】
【発明の詳細な説明】
【技術分野】
【０００１】
本発明は収納ケース技術分野を取り上げて、具体的にはピアス保存装置である。
【背景技術】
【０００２】
ピアスは多くの女性から好かれるが、ピアスの種類が多いため、分類し整理する必要がり、更に多くのピアスの値段が非常に高いので、一定程度の保護が必要であり、現有のアクセサリーケースはピアスを収納する機能を持ち、異なった種類のピアスに対しても異なった方式で収納するが、現有のアクセサリーケースは収納機能と一定程度の整理機能とを持つだけであり、良い保護機能が付いていなく、従って、ピアス保存装置が必要とされ、本装置でピアスを収納する時、異なった種類に対して分類し置き、また自動的に選択し収納し、貴重なピアスを隠れたところに置き、同時に本装置が密封式であり、防盗効果を大きく向上させ、より安全で信頼できる。
【先行技術文献】
【特許文献】
【０００３】
【特許文献１】中国特許出願公開第１０４３６６９３８号明細書
【発明の概要】
【発明が解決しようとする課題】
【０００４】
本発明の目的はピアス保存装置を提供し、それは上記の現在の技術中の問題を解決できる。
【課題を解決するための手段】
【０００５】
本発明のピアス保存装置は、収納ケースを含み、前記収納ケースの中には選び取り装置が設けられ、前記選び取り装置の左側には出し入れ装置が設けられ、前記選び取り装置と前記出し入れ装置との前側には制御装置が設けられ、前記制御装置は前記選び取り装置が選択することを制御し、そして前記出し入れ装置が選択後のピアスを取り出すことを制御し、入れる時には直接に前記出し入れ装置により元の位置に置き、前記選び取り装置は前記収納ケースの中に設けられた選び取りチャンバを含み、前記選び取りチャンバの中には回転柱が回転できるように設けられ、前記回転柱の外円面の前後両端には四組の固定ロッドが環状に排列されて固定的に設けられ、前記固定ロッドのうち前記回転柱から離れている一端には吊りロッドが回転できるように設けられ、前記吊りロッドの下端には支え板が固定的に設けられ、前後両側の前記支え板の中にはそれぞれ、上方と後方に開口した支えチャンバと上方と前方に開口した支えチャンバとが設けられ、前記支えチャンバの中には普通収納ケースが置かれており、前記普通収納ケースの中には上方に開口した普通収納チャンバが設けられ、前記選び取りチャンバの下側には貴重収納チャンバが設けられ、前記貴重収納チャンバの中には貴重収納ケースが置かれており、前記貴重収納ケースの右側には押し引きブロックが設けられ、前記押し引きブロックの左端面の前後両端には貴重収納ケースの前後両側に対称に設置された連結ロッドが固定的に設置され、前記連結ロッドの左端には引き動かしブロックが固定的に設けられ、前記押し引きブロックの下端面の中にはラックが固定的に設けられ、前記貴重収納チャンバの下側には歯車チャンバが連通するように設けられ、前記歯車チャンバの中には前記ラックと噛合するラック歯車が回転できるように設けられ、前記ラック歯車の軸心のところには回転軸が固定的に連結される。
【０００６】
更の技術プラン、前記出し入れ装置は前記選び取りチャンバの左側に連通するように設けられた昇降チャンバを含み、前記昇降チャンバの中には昇降ねじロッドが回転できるように設けられ、前記昇降チャンバの中には前記昇降ねじロッドにねじ山によって連結された昇降板がスライドできるように設けられ、前記昇降チャンバと前記貴重収納チャンバとの間には隠れチャンバが連通するように設けられ、前記昇降チャンバの下側にはプーリーチャンバが設けられ、前記昇降ねじロッドの下端が前記プーリーチャンバの中に伸びており、且つ前記昇降ねじロッドの下端には従動プーリーが固定的に連結され、前記従動プーリーの右側には駆動プーリーが回転できるように設けられ、前記従動プーリーと前記駆動プーリーとの間には伝動ベルトが巻き付くように設けられ、前記選び取りチャンバの上壁には前記隠れチャンバの上方に位置しかつ上方に開口した出し入れ口が設置され、前記出し入れ口の左右両壁には密封板チャンバが連通するように設けられ、前記密封板チャンバの中には密封板がスライドできるように設けられ、前記密封板の右端と前記密封板チャンバの右壁との間には圧縮バネが固定的に連結される。
【０００７】
更の技術プラン、前記制御装置は前記選び取りチャンバの前側に設けられた切り替えチャンバを含み、前記切り替えチャンバの中には切り替えブロックがスライドできるように設けられ、前記切り替えブロックの中には制御モーターが固定的に設けられ、前記制御モーターの上端には駆動傘歯車が動力が伝達できるように連結され、前記駆動傘歯車の後端には前記駆動傘歯車と噛合できる従動傘歯車が設けられ、前記従動傘歯車の軸心のところには連動軸が固定的に設けられ、前記連動軸の後端が前記回転軸の軸心のところに固定的に連結され、前記制御モーターの下端には駆動平歯車が伝動できるように連結され、前記切り替えチャンバの前壁の下端には伝動チャンバが連通するように設けられ、前記伝動チャンバの中には前記駆動平歯車と噛合できる従動平歯車が回転できるように設けられ、前記従動平歯車の下端には上傘歯車が固定的に連結され、前記上傘歯車の前端には前記上傘歯車と噛合する下傘歯車が回転できるように設けられ、前記伝動チャンバの前側にはプーリー伝動チャンバが設けられ、前記下傘歯車の軸心には伝動軸が固定的に連結され、前記伝動軸の前端が前記プーリー伝動チャンバの中に伸びており、前記伝動軸の前端には駆動伝動プーリーが固定的に設けられ、前記駆動伝動プーリーの下側には従動伝動プーリーが回転できるように設けられ、前記回転軸が前記従動伝動プーリーに固定的に連結され、前記駆動伝動プーリーと前記従動伝動プーリーとの間には動力ベルトが伝動できるように設けられ、前記駆動平歯車の下側には前記駆動平歯車と噛合できる内歯車が回転できるように設けられ、前記内歯車の下端にはリールが固定的に連結され、前記リールには引き糸が周設され、前記切り替えチャンバの前側には前記密封板チャンバの右側内壁に連通している糸抜き穴が連通するように設けられ、前記引き糸が前記糸抜き穴を貫通し、且つ前記密封板の右端に固定的に連結され、前記リールの下端には同期軸が固定的に連結され、前記同期軸の下端が前記駆動プーリーに固定的に連結される。
【０００８】
更の技術プラン、前記切り替えチャンバの前壁には制御チャンバが連通するように設けられ、前記制御チャンバの上壁の中には切り替えモーターが固定的に設けられ、前記切り替えモーターの下端には制御ねじロッドが動力が伝達できるように設けられ、前記切り替えブロックの前端が前記制御ねじロッドにねじ山によって連結され、前記制御チャンバの上壁には押しロッドチャンバが連通するように設けられ、前記押しロッドチャンバの中には下端が前記切り替えブロックと当接する押しロッドがスライドできるように設けられ、前記押しロッドの上端が前記押しロッドチャンバの上壁との間には押圧バネが固定的に連結され、前記押しロッドチャンバと前記切り替えチャンバとの間には引っ掛かりブロックチャンバが連通するように設けられ、前記押しロッドの後側端面上端には前記引っ掛かりブロックチャンバを貫通しており、且つ前記切り替えチャンバの中まで伸びている引っ掛かりブロックが固定的に設けられる。
【発明の効果】
【０００９】
本装置でピアスを入れる時、異なった種類のピアスに対して分類し置くことができ、また自動的に選択し入れ、貴重なピアスを隠れたところに置き、同時に本装置が密封式であり、防盗効果を大きく向上させ、より安全で信頼できる。
【図面の簡単な説明】
【００１０】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は本発明のピアス保存装置の内部全体構成略図
【図２】図２は図１のＡ―Ａの構成略図
【図３】図３は図１のＢ―Ｂの構成略図
【図４】図４は図１のＣ―Ｃの構成略図
【発明を実施するための形態】
【００１２】
図１〜４を参照し、本発明のピアス保存装置は、収納ケース１１を含み、前記収納ケース１１の中には選び取り装置１０１が設けられ、前記選び取り装置１０１の左側には出し入れ装置１０２が設けられ、前記選び取り装置１０１と前記出し入れ装置１０２との前側には制御装置１０３が設けられ、前記制御装置１０３は前記選び取り装置１０１が選択することを制御し、そして前記出し入れ装置１０２が選択後のピアスを取り出すことを制御し、入れる時には直接に前記出し入れ装置１０２により元の位置に置き、前記選び取り装置１０１は前記収納ケース１１の中に設けられた選び取りチャンバ１２を含み、前記選び取りチャンバ１２の中には回転柱１３が回転できるように設けられ、前記回転柱１３の外円面の前後両端には四組の固定ロッド１４が環状に排列されて固定的に設けられ、前記固定ロッド１４のうち前記回転柱１３から離れている一端には吊りロッド１５が回転できるように設けられ、前記吊りロッド１５の下端には支え板１６が固定的に設けられ、前後両側の前記支え板１６の中にはそれぞれ、上方と後方に開口した支えチャンバ１７と上方と前方に開口した支えチャンバ１７とが設けられ、前記支えチャンバ１７の中には普通収納ケース１８が置かれており、前記普通収納ケース１８の中には上方に開口した普通収納チャンバ１９が設けられ、前記選び取りチャンバ１２の下側には貴重収納チャンバ２０が設けられ、前記貴重収納チャンバ２０の中には貴重収納ケース２４が置かれており、前記貴重収納ケース２４の右側には押し引きブロック２１が設けられ、前記押し引きブロック２１の左端面の前後両端には貴重収納ケース２４の前後両側に対称に設置された連結ロッド２２が固定的に設置され、前記連結ロッド２２の左端には引き動かしブロック２３が固定的に設けられ、前記押し引きブロック２１の下端面の中にはラック２５が固定的に設けられ、前記貴重収納チャンバ２０の下側には歯車チャンバ２６が連通するように設けられ、前記歯車チャンバ２６の中には前記ラック２５と噛合するラック歯車２７が回転できるように設けられ、前記ラック歯車２７の軸心のところには回転軸２８が固定的に連結される。
【００１３】
有益的には、前記出し入れ装置１０２は前記選び取りチャンバ１２の左側に連通するように設けられた昇降チャンバ３０を含み、前記昇降チャンバ３０の中には昇降ねじロッド３１が回転できるように設けられ、前記昇降チャンバ３０の中には前記昇降ねじロッド３１にねじ山によって連結された昇降板３３がスライドできるように設けられ、前記昇降チャンバ３０と前記貴重収納チャンバ２０との間には隠れチャンバ３２が連通するように設けられ、前記昇降チャンバ３０の下側にはプーリーチャンバ３４が設けられ、前記昇降ねじロッド３１の下端が前記プーリーチャンバ３４の中に伸びており、且つ前記昇降ねじロッド３１の下端には従動プーリー３５が固定的に連結され、前記従動プーリー３５の右側には駆動プーリー３６が回転できるように設けられ、前記従動プーリー３５と前記駆動プーリー３６との間には伝動ベルト３７が巻き付くように設けられ、前記選び取りチャンバ１２の上壁には前記隠れチャンバ３２の上方に位置しかつ上方に開口した出し入れ口３８が設置され、前記出し入れ口３８の左右両壁には密封板チャンバ３９が連通するように設けられ、前記密封板チャンバ３９の中には密封板４０がスライドできるように設けられ、前記密封板４０の右端と前記密封板チャンバ３９の右壁との間には圧縮バネ４１が固定的に連結される。
【００１４】
有益的には、前記制御装置１０３は前記選び取りチャンバ１２の前側に設けられた切り替えチャンバ４２を含み、前記切り替えチャンバ４２の中には切り替えブロック４３がスライドできるように設けられ、前記切り替えブロック４３の中には制御モーター４４が固定的に設けられ、前記制御モーター４４の上端には駆動傘歯車４５が動力が伝達できるように連結され、前記駆動傘歯車４５の後端には前記駆動傘歯車４５と噛合できる従動傘歯車４６が設けられ、前記従動傘歯車４６の軸心のところには連動軸４７が固定的に設けられ、前記連動軸４７の後端が前記回転軸１３の軸心のところに固定的に連結され、前記制御モーター４４の下端には駆動平歯車４８が伝動できるように連結され、前記切り替えチャンバ４２の前壁の下端には伝動チャンバ４９が連通するように設けられ、前記伝動チャンバ４９の中には前記駆動平歯車４８と噛合できる従動平歯車５０が回転できるように設けられ、前記従動平歯車５０の下端には上傘歯車５１が固定的に連結され、前記上傘歯車５１の前端には前記上傘歯車５１と噛合する下傘歯車５２が回転できるように設けられ、前記伝動チャンバ４９の前側にはプーリー伝動チャンバ５３が設けられ、前記下傘歯車５２の軸心には伝動軸５４が固定的に連結され、前記伝動軸５４の前端が前記プーリー伝動チャンバ５３の中に伸びており、前記伝動軸５４の前端には駆動伝動プーリー５５が固定的に設けられ、前記駆動伝動プーリー５５の下側には従動伝動プーリー５６が回転できるように設けられ、前記回転軸２８が前記従動伝動プーリー５６に固定的に連結され、前記駆動伝動プーリー５５と前記従動伝動プーリー５６との間には動力ベルト５７が伝動できるように設けられ、前記駆動平歯車４８の下側には前記駆動平歯車４８と噛合できる内歯車５８が回転できるように設けられ、前記内歯車５８の下端にはリール５９が固定的に連結され、前記リール５９には引き糸６０が周設され、前記切り替えチャンバ４２の前側には前記密封板チャンバ３９の右側内壁に連通している糸抜き穴６１が連通するように設けられ、前記引き糸６０が前記糸抜き穴６１を貫通し、且つ前記密封板４０の右端に固定的に連結され、前記リール５９の下端には同期軸６３が固定的に連結され、前記同期軸６３の下端が前記駆動プーリー３６に固定的に連結される。
【００１５】
有益的には、前記切り替えチャンバ４２の前壁には制御チャンバ６４が連通するように設けられ、前記制御チャンバ６４の上壁の中には切り替えモーター６５が固定的に設けられ、前記切り替えモーター６５の下端には制御ねじロッド６６が動力が伝達できるように設けられ、前記切り替えブロック４３の前端が前記制御ねじロッド６６にねじ山によって連結され、前記制御チャンバ６４の上壁には押しロッドチャンバ６７が連通するように設けられ、前記押しロッドチャンバ６７の中には下端が前記切り替えブロック４３と当接する押しロッド６８がスライドできるように設けられ、前記押しロッド６８の上端が前記押しロッドチャンバ６７の上壁との間には押圧バネ６９が固定的に連結され、前記押しロッドチャンバ６７と前記切り替えチャンバ４２との間には引っ掛かりブロックチャンバ７０が連通するように設けられ、前記押しロッド６８の後側端面上端には前記引っ掛かりブロックチャンバ７０を貫通しており、且つ前記切り替えチャンバ４２の中まで伸びている引っ掛かりブロック７１が固定的に設けられる。
【００１６】
初期状態では、密封板４０が出し入れ口３８を密封し、昇降板３３が隠れチャンバ３２の中に上限界位置に位置しており、これにより隠れチャンバ３２を一定的に密封し、その時押し引きブロック２１と貴重収納ケース２４とが完全に貴重収納チャンバ２０の中に収納される。
【００１７】
普通のピアスを入れる時、制御モーター４４を始動し、これにより駆動傘歯車４５を回転連動させ、これによりねじ山連結により従動傘歯車４６を回転連動させ、連動軸４７により回転柱１３を回転連動させ、これにより固定ロッド１４により吊りロッド１５と、支え板１６と、普通収納ケース１８を回転連動させ、これにより普通収納ケース１８を出し入れ口３８の下側まで回転させ、その時切り替えモーター６５が始動し、これにより制御ねじロッド６６を回転連動させ、これによりねじ山連結により切り替えブロック４３を下限界位置まで降下連動させ、その時押しロッド６８と引っ掛かりブロック７１が押圧バネ６９の弾力作用により一定の距離に降下し、その時引っ掛かりブロック７１が従動傘歯車４６の上端を固定し、従動傘歯車４６が自動的に回転することを防止し、その時駆動傘歯車４５と従動傘歯車４６とが噛合状態から離脱し、駆動平歯車４８と内歯車５８とが噛合し、その時制御モーター４４が始動し、駆動平歯車４８を回転連動させ、歯車噛合により内歯車５８を回転連動させ、これによりリール５９を回転連動させて引き糸６０をきつく引き、これにより密封板４０を引き動かして右に移動させ、同時に、リール５９が同期軸６３により駆動プーリー３６を回転連動させ、伝動ベルト３７により従動プーリー３５を回転連動させ、昇降ねじロッド３１を回転連動させ、ねじ山連結により昇降板３３を上昇連動させ、昇降板３３が普通収納ケース１８の下端と当接する時に普通収納ケース１８を引いて上昇連動させ、出し入れ口３８が完全に開く時、普通収納ケース１８が出し入れ口３８の中まで上昇し、出し入れすることができ、貴重なピアスを出し入れする時、切り替えモーター６５を始動し、切り替えチャンバ４２を下限界位置まで移動連動させ、制御モーター４４を始動し、昇降板３３を下限界位置まで下へ移動連動させ、そして切り替えブロック４３を中間位置まで切り替え、その時駆動平歯車４８と従動平歯車５０とが噛合し、その時制御モーター４４が始動し、駆動平歯車４８を回転連動させ、歯車噛合により従動平歯車５０を回転連動させ、且つ上傘歯車５１を回転連動させ、歯車噛合により下傘歯車５２を回転連動させ、伝動軸５４により駆動伝動プーリー５５を回転連動させ、動力ベルト５７により従動伝動プーリー５６を回転連動させ、回転軸２８によりラック歯車２７を回転連動させ、歯車ラック噛合によりラック２５を左へ移動連動させ、これにより押し引きブロック２１により貴重収納ケース２４を昇降板３３の上方に押し、そして昇降板３３を上昇連動させ、貴重収納ケース２４を出し入れ口３８の中に送り、出し入れする。
【００１８】
有益効果は：本装置でピアスを入れる時、異なった種類のピアスに対して分類し置くことができ、また自動的に選択し入れ、貴重なピアスを隠れたところに置き、同時に本装置が密封式であり、防盗効果を大きく向上させ、より安全で信頼できる。
【００１９】
以上に述べたのはただ本発明の具体的な実施方式で、本発明の保護範囲はここに限らないである。全部の創造的な労働を通じなく思いついた変化と取替は本発明の保護範囲にカバーされる。だから本発明の保護範囲は権利要求書が限定される保護範囲を標準とする。